(57)【特許請求の範囲】
【請求項１】
それぞれに電子回路ユニットを納めた一対のきょう体と、前記一対のきょう体をそれぞれ独立した回動部を介して連結した中空の回動部材と、前記回動部材に納めるとともに前記電子回路ユニットを電気的に接続させる被覆線材と、前記被覆線材を芯として螺旋状に取り巻いて前記回動部材に納めるとともに前記電子回路ユニットを電気的に接続させる可撓性電子基板とからなる電子機器回動機構。
【発明の詳細な説明】
【０００１】
【産業上の利用分野】
本発明は、カメラ一体型ビデオテープレコーダなどに使用する、電子機器回動機構に関するものである。
【０００２】
【従来の技術】
近年、カメラ一体型ビデオテープレコーダにおいては、様々な新しい使用形態が提案されてきているが、このなかで撮影者が自らを撮影するニーズも増加している。このニーズに応えるためには、カメラユニットを手前に回動させた場合、映像を上下反転させるための電子回路が新たに必要となり、コストが大幅に増大してしまう。そこでこの対策として高価な電子回路を廃止し、代わりにカメラユニットを手前に向けたときカメラの光軸まわりに回動させる安価な機構を追加することにより、上下反転させる方法が必要となる。カメラユニットと本体ユニットの間の電気的接続には、通常フレキシブルプリント基板（以下ＦＰＣと記す）が使用されるが、互いに回動する２つの電子回路ユニットの間には、回動によってこのＦＰＣが切れないように、従来から特別な回動機構が設けられている。
【０００３】
従来の電子機器回動機構について説明する。
図３は従来の電子機器回動機構であって、１軸のみを有する場合、図４は従来の電子機器回動機構であって、２軸を有する場合の側断面図をそれぞれ示したものである。
【０００４】
１軸のみの場合、図３に示すように可撓性電子基板であるＦＰＣ１０１は、一端をカメラケース１０５にタッピングビス１２２で固定した電子回路ユニットであるカメラ基板１０３に接続し、他端を本体ケース１１７にタッピングビス１２２で固定した電子回路ユニットであるメイン基板１０４に接続している。ＦＰＣ１０１は一方をカメラＦＰＣ溝１１０ａにおいて回転ホルダー１１０に保持され、他方をＦＰＣ取付部材１０６に設けた本体ＦＰＣ溝１０６ａにおいてＦＰＣ取付部材１０６に保持されている。さらに、ＦＰＣ１０１は巻回部１０１ａをＦＰＣ取付部材１０６に構成した本体ＦＰＣ巻回部１０６ｃに巻きつけて配設している。
【０００５】
カメラケース１０５はカメラフレーム１１６にビス１１１で固定されている。補強フレーム１１２の円孔部周辺かつ両面には摺動性に優れた樹脂材料で構成した円環状の摩擦板１１３が固着されている。回動ホルダー１１０のボス部には弾性体で構成した円環状の波ワッシャ１１５と前記補強フレーム１１２の前記円孔部と円環状の本体固定板１１４を挿入し、一方回動ホルダー１１０のボス部と相反する面にはカメラフレーム１１６を固定し、このカメラフレーム１１６と本体固定板１１４をビス１１１で固定することにより補強フレーム１１２は回動ホルダー１１０のボス部における回動軸について回動可能に保持されている。また、波ワッシャ１１５は回動ホルダー１１０に対して回動を規制されている。補強フレーム１１２にはＦＰＣ取付部材１０６が固定されている。
【０００６】
補強フレーム１１２には本体ケース１１７がビス１１１にて固定されている。なお、補強フレーム１１２には回動ホルダー１１０がその回動軸について回動角度を規制するストッパー部（図示せず）を設けている。
【０００７】
以上のように構成された電子機器回動機構について、以下その動作を説明する。
【０００８】
カメラケース１０５を本体ケース１１７に対して回動させるとき、ＦＰＣ１０１の巻回部１０１ａが締まったり緩んだりすることにより、ＦＰＣ１０１がねじれて切れることなく回動させることができる。また、ストッパー部により、所定の回動角度以上に回動してＦＰＣが切れてしまうことを防止している。
【０００９】
２軸の場合は、図４に示すように補強フレーム２１２に第１および第２の円孔部を有し、一方にカメラユニット、他方に本体ユニットがそれぞれ回動可能に保持されており、図３に示した１軸のみの電子機器回動機構を１対組合わせた構成を成している。補強フレーム２１２には回動ケース２１９を取り付けている。
【００１０】
その他の構成は１軸のみの場合（図３）と同様である。
また、以上のように構成された電子機器回動機構についても、その動作は１軸のみの場合と同様である。
【００１１】
【発明が解決しようとする課題】
ところが、従来のように２軸に対してそれぞれＦＰＣの巻回部を構成した場合、縦横共にＦＰＣの幅の２倍以上の寸法が必要となるため、回動機構の小型化が困難であった。また、２箇所のＦＰＣ巻回部について、ＦＰＣの位置規制をおこなうＦＰＣ取付部材が必要となるが、組み付け方向の違いによる組立性の悪化や部品点数の増加によるコストアップを余儀なくされるという課題を有していた。
【００１２】
本発明は前記課題を解決するもので、電子回路ユニットを電気的に接続させる被覆線材とＦＰＣについて、被覆線材を芯としてＦＰＣを螺旋状に取り巻いて配設することにより、回動機構を小型化することができる電子回路回動機構を提供することを目的とする。
【００１３】
【課題を解決するための手段】
この目的を達成するために本発明の電子機器回動機構は、一対の電子回路ユニットと、一対の電子回路ユニットを電気的に接続させる被覆線材と、被覆線材を芯として螺旋状に取り巻いて配設し、かつ一対の電子回路ユニットを電気的に接続させる可撓性電子基板と、それぞれの軸について回動し得る複数の回動部を有し、かつ一対の電子回路ユニットを保持する回動部材とからなる構成を有している。
【００１４】
【作用】
本発明は上記した構成により、ＦＰＣの螺旋部において一部が重なるので、ＦＰＣの幅の２倍もの寸法は不要となるばかりでなく、被覆線材がガイド部材を兼ねるので、従来のような複雑な形状、構成のガイド部材は不要となり小型かつ低コストな電子機器回動機構を構成することができる。
【００１５】
【実施例】
以下第１の発明の実施例について、図面を参照しながら説明する。
【００１６】
図１は本発明の電子機器回動機構の分解斜視図を示したものである。
図２は本発明の電子機器回動機構の側断面図を示したものである。
【００１７】
図２に示すように、可撓性電子基板であるＦＰＣ１および被覆線材２は、いずれも一端をきょう体であるカメラケース５にタッピングビス２２で固定した電子回路ユニットであるカメラ基板３に接続し、他端をもう一方のきょう体である本体ケース１６にタッピングビス２２で固定した電子回路ユニットであるメイン基板４に接続している。被覆線材２は、一方をカメラ線材孔５ｂにおいてカメラケース５に保持され、他方をＦＰＣ取付部材６に設けた本体線材孔６ｂにおいてＦＰＣ取付部材６に保持されている。ＦＰＣ１は一方をカメラＦＰＣ溝５ａにおいてカメラケース５に保持され、他方をＦＰＣ取付部材６に設けた本体ＦＰＣ溝６ａにおいてＦＰＣ取付部材６に保持されている。さらに、ＦＰＣ１はカメラケース５に構成したカメラＦＰＣ巻回部５ｃからＦＰＣ取付部材６に構成した本体ＦＰＣ巻回部６ｃの間に、被覆線材２を芯として螺旋状に取り巻いた螺旋巻回部１ａを成して配設している。
【００１８】
中空の回動部材である回動ホルダー１０の側面ボス部に円環状のケース取付部材８と円環状のケース固定板９を挿嵌し、回動ホルダー１０とケース固定板９とをビス１１で固定することにより、ケース取付部材８は回動ホルダー１０の側面ボス部における、カメラの光軸と同軸上の第１の回動軸について回動可能に保持されている。カメラケース５はカメラ基板３をシールドするシールド部材であるカメラシールド板２１と共にケース取付部材８にタッピングビス２２で固定されている。カメラ基板３にはレンズユニット７が固定されている。なお、ケース取付部材８には回動ホルダー１０の第１の回動軸について最大１８０度まで回動可能なカメラストッパー部（図示せず）を設けている。
【００１９】
補強フレーム１２の円孔部周辺かつ両面には摺動性に優れた樹脂材料で構成した円環状の摩擦板１３が固着されている。回動ホルダー１０の底面ボス部には弾性体で構成した円環状の波ワッシャ１５と前記補強フレーム１２の前記円孔部と円環状の本体固定板１４を挿入し、一方回動ホルダー１０の底面であってボス部と相反する面にはアングル１７を固定し、このアングル１７と本体固定板１４をビス１１で固定することにより補強フレーム１２は回動ホルダー１０の底面ボス部における第２の回動軸について回動可能に保持されている。また、波ワッシャ１５は回動ホルダー１０に対して回動を規制されており、アングル１７には回転ケース１９がビス１１により固定されている。補強フレーム１２にはＦＰＣ取付部材６が固定されている。補強フレーム１２には本体ケース１６がビス１１にて固定されている。
【００２０】
なお、補強フレーム１２には回動ホルダー１０の第２の回動軸について最大２７０度まで回動可能な本体ストッパー部（図示せず）を設けている。
【００２１】
以下第２の発明の実施例について説明する。
図１および図２に示すように、カメラシールド板２１は被覆線材２とＦＰＣ１をカメラケース５との間に挟んで固定した状態で、ケース取付部材８にタッピングビス２２で固定している。その他の構成は第１の発明の実施例と同じである。
【００２２】
以上のように構成された電子機器回動機構について、以下その動作を説明する。
【００２３】
第１の発明、第２の発明いずれについても、自分撮りを行う場合、先ずカメラ部を手前に向けるために前記第２の回動軸について２７０度の範囲内で回動させ、次に映像を上下反転させるために前記第１の回動軸について１８０度回動させる。ＦＰＣ１の螺旋巻回部１ａが締まったり緩んだりすることにより、ＦＰＣ１がねじれて切れることなく回動させることができる。ここで、第１の回動軸と第２の回動軸の回動の順序はいずれが先でも、あるいは同時であっても、得られる効果は同じである。また、今回は回動角度を２７０度と１８０度に設定したが、この角度が異なってもよい。なお、本実施例では電子回路ユニットを電気的に接続する被服線材を芯とし、可撓性電子基板をＦＰＣで構成したが、被服線材は可撓性の線材であれば、必ずしも電気的に接続するための線材でなくてもよく、また可撓性電子基板もかならずしもＦＰＣでなくとも可撓性の導電材であれば同様の効果が得られる。
【００２４】
また、第２の発明については、カメラシールド板２１にて被覆線材２やＦＰＣ１を固定しているので、被覆線材２のカメラ線材孔５ｂ出口近傍や、ＦＰＣ１のカメラＦＰＣ溝５ａ出口近傍の湾曲部はカメラ基板３やレンズユニット７に当たらない。
【００２５】
【発明の効果】
以上のように第１の発明の本実施例によれば、一対の電子回路ユニットと、この一対の電子回路ユニットを電気的に接続させる被覆線材と、この被覆線材を芯として螺旋状に取り巻いて配設し、かつ前記一対の電子回路ユニットを電気的に接続させる可撓性電子基板と、それぞれの軸について回動し得る複数の回動部を有し、かつ前記一対の電子回路ユニットを保持する回動部材とからなる構成を有したことにより、ＦＰＣの幅の２倍もの寸法が不必要となるばかりでなく、被覆線材がガイド部材を兼ねるので、小型かつ低コストな電子機器回動機構を構成することができ、その実用的効果は大きい。
【００２６】
また第２の発明の本実施例によれば、請求項１の電子機器回動機構において、電子回路ユニットを電磁的にシールドするシールド部材で被覆線材と可撓性電子基板とを固定したことにより、被覆線材のカメラ線材孔出口近傍や、ＦＰＣのカメラＦＰＣ溝出口近傍の湾曲部がカメラ基板やレンズユニットに当たることを防止できるので、被覆線材やＦＰＣの傷つきやレンズユニットへの負荷による光軸の曲がりなど、性能の劣化を防ぐことができ、その実用的効果は大きい。
【図面の簡単な説明】
【図１】第１および第２の発明の一実施例における電子機器回動機構の分解斜視図
【図２】第１および第２の発明の一実施例における電子機器回動機構の側断面図
【図３】従来の１軸の電子機器回動機構の側断面図
【図４】従来の２軸の電子機器回動機構の側断面図
【符号の説明】
１  ＦＰＣ
２  被覆線材
３  カメラ基板
４  メイン基板
５  カメラケース
５ａ  カメラＦＰＣ溝
５ｂ  カメラ線材孔
５ｃ  カメラＦＰＣ巻回部
６  ＦＰＣ取付部材
６ａ  本体ＦＰＣ溝
６ｂ    本体線材孔
６ｃ    本体ＦＰＣ巻回部
７    レンズユニット
８  ケース取付部材
９  ケース固定板
１０    回動ホルダー
１１  ビス
１２    補強フレーム
１３  摩擦板
１４  本体固定板
１５  波ワッシャ
１６  本体ケース
１７  アングル
１９  回転ケース
２１  カメラシールド板
２２  タッピングビス
【図１】
0003612765.tif 000002
【図２】
0003612765.tif 000003
【図３】
0003612765.tif 000004
【図４】
0003612765.tif 000005